(57)【要約】【課題】コンパクト容器の形状や大きさが、中蓋が備える固定部によって影響を受けにくくし、コンパクト容器のデザイン的な設計の自由度を高くすること。【解決手段】コンパクト容器用中蓋５０は、化粧料皿４０に充填された化粧料の露出面を被覆する中蓋本体５１と、中蓋本体５１の周縁から延出し、かつ容器本体２０の貫通孔６０内に挿入される部位を備えた固定部５２とを有する。固定部５２に係止部５５Ａ，５６Ａを設け、収納凹部２２Ａの側から仕切り壁部４５の貫通孔６０内に挿入された状態の固定部５２が、係止部５５Ａ，５６Ａによって容器本体２０のいずれかの部位に係止されるようにした。【選択図】図１
2015126827.tif 000002
【特許請求の範囲】
【請求項１】
化粧料が充填された化粧料皿を収納するコンパクト容器に用いられ、かつ該化粧料の露出面を被覆するように配置されるコンパクト容器用中蓋であって、
前記コンパクト容器は、容器本体と、該容器本体に開閉自在に結合された蓋体とを備え、
前記コンパクト容器は、前記容器本体の周縁部に設けられた本体係止部位と、前記蓋体の周縁部に設けられた蓋体係止部位とが係止することで閉蓋状態となるものであり、
前記容器本体は、１又は２以上の収納凹部を有し、該収納凹部のうちのいずれかに、前記化粧料が充填された前記化粧料皿が収納されるようになっており、
前記収納凹部のうちのいずれかは、前記本体係合部と隣接して配置されており、かつ仕切り壁部によって該本体係合部と仕切られており、
前記仕切り壁部には、該仕切り壁部をその厚み方向にわたって貫通する貫通孔が設けられており、
前記中蓋は、前記化粧料皿に充填された前記化粧料の露出面を被覆する中蓋本体と、該中蓋本体の周縁から延出し、かつ前記貫通孔内に挿入される部位を備えた固定部とを有し、
前記固定部に係止部を設け、前記収納凹部の側から前記仕切り壁部の前記貫通孔内に挿入された状態の該固定部が、該係止部によって前記容器本体のいずれかの部位に係止されるようにした、コンパクト容器用中蓋。
【請求項２】
前記固定部は、その先端部と、前記中蓋本体との連接部との間に、前記係止部としての最大幅部を有し、該最大幅部での幅が前記貫通孔の幅よりも広くなっており、かつ、該最大幅部よりも該先端部寄りの部位及び該連接部寄りの部位での幅が、該貫通孔の幅と同等であるか、若しくはそれよりも狭くなっているか、又は
前記固定部は、その先端部と、前記中蓋本体との連接部との間に、前記係止部としての最大厚み部を有し、該最大厚み部での厚みが前記貫通孔の高さよりも大きくなっており、かつ、該最大厚み部よりも該先端部寄りの部位及び該連接部寄りの部位での厚みが、該貫通孔の高さと同等であるか、若しくはそれよりも小さくなっている請求項１に記載のコンパクト容器用中蓋。
【請求項３】
前記固定部は、前記係止部と、前記中蓋本体との連接部との間に、仕切り壁部に係止される第２係止部を更に有する請求項１又は２に記載のコンパクト容器用中蓋。
【請求項４】
前記容器本体の底面部に嵌合凹部が凹設されており、
前記固定部は、前記係止部と、前記中蓋本体との連接部との間に、前記嵌合凹部に嵌合する嵌合凸部を有する請求項１ないし３のいずれか一項に記載のコンパクト容器用中蓋。
【請求項５】
前記仕切り壁部の壁面のうち、前記収納凹部に臨む壁部に嵌合凹部が凹設されており、
前記固定部は、前記係止部と、前記中蓋本体との連接部との間に、前記嵌合凹部に嵌合する嵌合凸部を有する請求項１ないし４のいずれか一項に記載のコンパクト容器用中蓋。
【請求項６】
前記固定部は、前記係止部と、前記中蓋本体との連接部との間に、上方に向けて突出した突起部を有し、
前記突起部はその高さが、前記貫通孔の高さと同等又はそれよりも低くなっている請求項１ないし５のいずれか一項に記載のコンパクト容器用中蓋。
【請求項７】
前記係止部が、上方に向けて突出した第１突起部と、下方に向けて突出した第２突起部との組み合わせからなり、
第１突起部は、前記固定部の先端部側に位置し、かつ第２突起部は、該固定部と前記中蓋本体との連接部側に位置しており、
第１突起部及び第２突起部はいずれも、その高さが前記貫通孔の高さと同等であるか又はそれよりも低くなっており、
第１突起部の高さと第２突起部の高さとの和が、前記貫通孔の高さよりも大きくなっている請求項１ないし６のいずれか一項に記載のコンパクト容器用中蓋。
【請求項８】
前記仕切り壁部の壁面のうち、前記収納凹部に臨む壁部と反対側の壁部にリブが設けられており、
前記固定部は、その先端部と、前記中蓋本体との連接部との間に、前記係止部としての最大厚み部を有し、該最大厚み部での厚みが前記貫通孔の高さよりも大きくなっており、かつ、該最大厚み部よりも該先端部寄りの部位及び該連接部寄りの部位での厚みが、該貫通孔の高さと同等であるか、又はそれよりも小さくなっており、
前記固定部が、前記貫通孔内に挿入された状態において、前記最大厚み部の上端が、前記リブの下端又はその近傍に位置するように、該リブを配置した請求項１ないし７のいずれか一項に記載のコンパクト容器用中蓋。
【請求項９】
前記容器本体に設けられた前記本体係止部位が、該本体係止部位と、前記蓋体の周縁部に設けられた前記蓋体係止部位との係止を解除する係止解除部材を有しており、
前記係止解除部材は、前記貫通孔内に挿入された状態の前記固定部に対向するように配置されているとともに、該係止解除部材を押し込むことで前記係止の解除が可能な構造になっており、
前記係止解除部材の押し込みによって、前記固定部を弾性変形させるようにした請求項１ないし８のいずれか一項に記載のコンパクト容器用中蓋。
【請求項１０】
前記蓋体の周縁部に設けられた前記蓋体係止部位に、該蓋体係止部位と、前記容器本体に設けられた前記本体係止部位とを係止する係止突片が設けられており、
前記固定部は、その先端部と、前記中蓋本体との連接部との間に、前記係止部としての最大厚み部を有し、該最大厚み部での厚みが前記貫通孔の高さよりも大きくなっており、かつ、該最大厚み部よりも該先端部寄りの部位及び該連接部寄りの部位での厚みが、該貫通孔の高さと同等であるか、又はそれよりも小さくなっており、
前記コンパクト容器の閉蓋状態が進行するに連れて、前記係止突片が前記最大厚み部に徐々に当接するようにした請求項１ないし９のいずれか一項に記載のコンパクト容器用中蓋。
【請求項１１】
前記最大厚み部が、距離を隔てた２つの山部を有し、
前記コンパクト容器の閉蓋状態が進行するに連れて、前記係止突片が２つの前記山部の間に入り込むようにした請求項１０に記載のコンパクト容器用中蓋。
【請求項１２】
前記固定部は、その先端部と、前記中蓋本体との連接部との間に、前記係止部としての最大厚み部を有し、該最大厚み部での厚みが前記貫通孔の高さよりも大きくなっており、かつ、該最大厚み部よりも該先端部寄りの部位及び該連接部寄りの部位での厚みが、該貫通孔の高さと同等であるか、又はそれよりも小さくなっており、
前記固定部は、前記係止部と、前記中蓋本体との連接部との間に、上方に向けて突出した突起部を有し、
前記固定部が前記容器本体に固定された状態において、前記突起部が、前記仕切り壁部の壁面のうち、前記収納凹部に臨む壁部に当接するようにした請求項１ないし１１のいずれか一項に記載のコンパクト容器用中蓋。
【請求項１３】
前記中蓋が、複数の前記中蓋本体を有し、各中蓋本体が、複数の前記収納凹部のそれぞれを被覆するように配置されており、
複数の前記中蓋本体が１つの前記固定部によって連結されている請求項１ないし１２のいずれか一項に記載のコンパクト容器用中蓋。
【請求項１４】
１又は２以上の収納凹部を有する容器本体と、該容器本体に開閉自在に結合された蓋体とを備え、
化粧料が充填された化粧料皿が、前記収納凹部のうちのいずれかに収納されており、
前記化粧料の露出面を被覆するように中蓋が配置されたコンパクト容器であって、
前記コンパクト容器は、前記容器本体の周縁部に設けられた本体係止部位と、前記蓋体の周縁部に設けられた蓋体係止部位とが係止することで閉蓋状態となるものであり、
前記収納凹部のうちのいずれかが、前記本体係合部と隣接して配置されており、かつ仕切り壁部によって該本体係合部と仕切られており、
前記仕切り壁部には、該仕切り壁部をその厚み方向にわたって貫通する貫通孔が設けられており、
前記中蓋は、前記化粧料皿に充填された前記化粧料の露出面を被覆する中蓋本体と、該中蓋本体の周縁から延出し、かつ前記貫通孔内に挿入される部位を備えた固定部とを有し、
前記固定部に係止部を設け、前記収納凹部の側から前記仕切り壁部の前記貫通孔内に挿入された状態の該固定部が、該係止部によって前記容器本体のいずれかの部位に係止されるようにした、コンパクト容器。
【発明の詳細な説明】
【技術分野】
【０００１】
本発明は、化粧料用具であるコンパクト容器に用いられる中蓋に関する。また本発明は、該中蓋を備えたコンパクト容器に関する。
【背景技術】
【０００２】
携帯用の化粧料用具であるコンパクト容器は一般に、化粧料の収納部を有する容器本体と、該容器本体に開閉自在に蝶着された蓋体とを備えている。この収納部には、化粧料が充填された化粧料皿を収納される。この種のコンパクト容器においては、従来、化粧料皿と蓋体との間に、中蓋ないし保護シートと呼ばれる仕切り部材を介在配置させている。そして、コンパクト容器の使用前に該中蓋を取り除く手間を省く目的や、取り除いた該中蓋を紛失させないようにする目的、あるいは衛生上の見地から、該中蓋をコンパクト容器から完全に取り除けないようにする技術が提案されている。
【０００３】
例えば、コンパクト容器の容器本体と化粧料皿との間に、中蓋の一部を挟むことで、該中蓋を固定する技術が知られている（特許文献１ないし３参照）。また、容器本体に溝を設けておき、その溝内に中蓋をスライドさせて、該中蓋を固定する技術も知られている（特許文献４参照）。更に、中蓋を固定するために、蓋体と容器本体の間に立体シートを嵌合させる技術も知られている。（特許文献５参照）
【先行技術文献】
【特許文献】
【０００４】
【特許文献１】特開２００４−２５５０６１号公報
【特許文献２】登録実用新案３１８３４０１号公報
【特許文献３】特開２０１２−１４３２９３号公報
【特許文献４】特開２００７−１７５３４０号公報
【特許文献５】特開２０１３−３１５５３号公報
【発明の概要】
【発明が解決しようとする課題】
【０００５】
しかし、特許文献１ないし３に記載の技術では、化粧料皿と容器本体とのアンダーカット嵌合によって仕切り部材を固定することに起因してコンパクト容器が大きくなる場合があり、このことは、コンパクト容器にデザイン的な制約を与える点で有利とは言えない。特許文献４に記載の溝によるスライド固定の技術も同様に、コンパクト容器にデザイン的な制約を与えるものである。また、特許文献１ないし５に記載の技術では、工場での製品の製造の際に中蓋をセットするときの作業性が良好とは言えない。更に、製品を購入したユーザーが化粧料皿を取り替えるときの使い勝手も良好とは言えない。
【０００６】
したがって本発明の課題は、中蓋ないし保護シートと呼ばれる仕切り部材を備えたコンパクト容器の改良にあり、更に詳しくは該仕切り部材を備えたコンパクト容器のデザイン的な設計の自由度を向上させることにある。
【課題を解決するための手段】
【０００７】
本発明は、化粧料が充填された化粧料皿を収納するコンパクト容器に用いられ、かつ該化粧料の露出面を被覆するように配置されるコンパクト容器用中蓋であって、
前記コンパクト容器は、容器本体と、該容器本体に開閉自在に結合された蓋体とを備え、
前記コンパクト容器は、前記容器本体の周縁部に設けられた本体係止部位と、前記蓋体の周縁部に設けられた蓋体係止部位とが係止することで閉蓋状態となるものであり、
前記容器本体は、１又は２以上の収納凹部を有し、該収納凹部のうちのいずれかに、前記化粧料が充填された前記化粧料皿が収納されるようになっており、
前記収納凹部のうちのいずれかは、前記本体係合部と隣接して配置されており、かつ仕切り壁部によって該本体係合部と仕切られており、
前記仕切り壁部には、該仕切り壁部をその厚み方向にわたって貫通する貫通孔が設けられており、
前記中蓋は、前記化粧料皿に充填された前記化粧料の露出面を被覆する中蓋本体と、該中蓋本体の周縁から延出し、かつ前記貫通孔内に挿入される部位を備えた固定部とを有し、
前記固定部に係止部を設け、前記収納凹部の側から前記仕切り壁部の前記貫通孔内に挿入された状態の該固定部が、該係止部によって前記容器本体のいずれかの部位に係止されるようにした、コンパクト容器用中蓋を提供するものである。
【０００８】
また本発明は、１又は２以上の収納凹部を有する容器本体と、該容器本体に開閉自在に結合された蓋体とを備え、
化粧料が充填された化粧料皿が、前記収納凹部のうちのいずれかに収納されており、
前記化粧料の露出面を被覆するように中蓋が配置されたコンパクト容器であって、
前記コンパクト容器は、前記容器本体の周縁部に設けられた本体係止部位と、前記蓋体の周縁部に設けられた蓋体係止部位とが係止することで閉蓋状態となるものであり、
前記収納凹部のうちのいずれかが、前記本体係合部と隣接して配置されており、かつ仕切り壁部によって該本体係合部と仕切られており、
前記仕切り壁部には、該仕切り壁部をその厚み方向にわたって貫通する貫通孔が設けられており、
前記中蓋は、前記化粧料皿に充填された前記化粧料の露出面を被覆する中蓋本体と、該中蓋本体の周縁から延出し、かつ前記貫通孔内に挿入される部位を備えた固定部とを有し、
前記固定部に係止部を設け、前記収納凹部の側から前記仕切り壁部の前記貫通孔内に挿入された状態の該固定部が、該係止部によって前記容器本体のいずれかの部位に係止されるようにした、コンパクト容器を提供するものである。
【発明の効果】
【０００９】
本発明によれば、コンパクト容器の形状や大きさが、中蓋が備える固定部によって影響を受けにくくなり、コンパクト容器のデザイン的な設計の自由度が高くなる。
【図面の簡単な説明】
【００１０】
【図１】図１は、本発明のコンパクト容器の一実施形態を示す斜視図である。
【図２】図２は、図１に示すコンパクト容器における中蓋を閉じた状態を示す斜視図である。
【図３】図３は、中蓋を示す斜視図である。
【図４】図４（ａ）は、中蓋における固定部の要部を拡大して示す斜視図であり、図４（ｂ）は、図４（ａ）におけるＡ−Ａ線断面図である。
【図５】図５は、図１に示すコンパクト容器における容器本体と中蓋との固定状態を示す斜視図である。
【図６】図６は、図１に示すコンパクト容器における容器本体と中蓋との固定状態を示す断面図である。
【図７】図７（ａ）は、本発明の第２実施形態における固定部を拡大して示す斜視図であり、図７（ｂ）は、図７（ａ）に示す固定部が係止された状態を示すＡ−Ａ線断面図である。
【図８】図８（ａ）は、本発明の第３実施形態における固定部を拡大して示す斜視図であり、図８（ｂ）は、図８（ａ）に示す固定部が係止された状態を示すＡ−Ａ線断面図である。
【図９】図９（ａ）は、本発明の第４実施形態における固定部を拡大して示す斜視図であり、図９（ｂ）は、図９（ａ）に示す固定部が係止された状態を示すＡ−Ａ線断面図である。
【図１０】図１０（ａ）は、本発明の第５実施形態における固定部を拡大して示す斜視図であり、図１０（ｂ）は、図１０（ａ）に示す固定部が係止された状態を示すＡ−Ａ線断面図である。
【図１１】図１１（ａ）は、本発明の第６実施形態における固定部を拡大して示す斜視図であり、図１１（ｂ）は、図１１（ａ）に示す固定部が係止された状態を示すＡ−Ａ線断面図である。
【図１２】図１２は、本発明の第７実施形態における固定部が係止された状態を示す断面図である。
【図１３】図１３（ａ）は、本発明の第８実施形態における固定部を拡大して示す斜視図であり、図１３（ｂ）は、図１３（ａ）に示す固定部が係止された状態を示すＡ−Ａ線断面図である。
【図１４】図１４（ａ）は、本発明の第９実施形態における容器本体の要部を拡大して示す斜視図であり、図１４（ｂ）は、固定部が係止された状態を示す断面図である。
【図１５】図１５（ａ）は、本発明の第１０実施形態における容器本体の要部を拡大して示す斜視図であり、図１５（ｂ）は、固定部が係止された状態を示す断面図である。
【図１６】図１６は、本発明の第１１実施形態における固定部が係止された状態を示す断面図である。
【図１７】図１７は、本発明の第１２実施形態における固定部が係止された状態を示す断面図である。
【図１８】図１８は、本発明の第１３実施形態における固定部が係止された状態を示す断面図である。
【図１９】図１９（ａ）は、本発明の第１４実施形態における固定部が係止された状態を示す正面図であり、図１９（ｂ）は、図１９（ａ）の断面図であり、図１９（ｃ）は、閉蓋が更に進行した状態での固定部が係止された状態を示す正面図であり、図１９（ｄ）は、図１９（ｃ）の断面図であり、図１９（ｅ）は、突起部の２つの山部間に係止突片が入り込む状態を示す斜視図である。
【図２０】図２０は、本発明のコンパクト容器の第１５実施形態を示す断面図である。
【図２１】図２１は、本発明のコンパクト容器の第１６実施形態における固定部を示す斜視図である。
【図２２】図２２は、本発明のコンパクト容器の第１７実施形態を示す斜視図である。
【図２３】図２３は、図２２に示すコンパクト容器における中蓋を閉じた状態を示す斜視図である。
【図２４】図２４は、図２２に示すコンパクト容器における容器本体と中蓋との固定状態を示す斜視図である。
【図２５】図２５は、本発明のコンパクト容器の第１８実施形態を示す分解平面図である。
【発明を実施するための形態】
【００１１】
以下本発明を、その好ましい実施形態に基づき図面を参照しながら説明する。図１及び図２には、本発明のコンパクト容器の第１実施形態の斜視図が示されている。同図に示すコンパクト容器１０は、容器本体２０及び蓋体３０を有している。容器本体２０は平面視して略矩形状をしている。平面視で略矩形状をしている容器本体２０は、長手方向Ｘ及びこれと直交する幅方向Ｙを有している。平面視での容器本体２０は、長手方向Ｘに沿って延び、かつ互いに対向する第１長辺部２０Ａ及び第２長辺部２０Ｂを有している。また平面視での容器本体は、幅方向Ｙに沿って延び、かつ互いに対向する第１短辺部２０Ｃ及び第２短辺部２０Ｄを有している。蓋体３０も、同様に平面視して略矩形状をしており、平面視での大きさは、容器本体２０とほぼ同じになっている。
【００１２】
蓋体３０は、容器本体２０に開閉自在に結合されている。この結合には例えば蝶番を用いた蝶着を採用することができるが、この結合方法に制限されない。蝶番による容器本体２０への蓋体３０の蝶着は、容器本体２０の長手方向Ｘに沿う第１長辺部２０Ａに蝶番を取り付けることで行われる。蓋体３０の内面には鏡３１が取り付けられている。
【００１３】
容器本体２０の周縁部には本体係止部位２１が設けられている。一方、蓋体３０の周縁部には蓋体係止部位３２が設けられている。そして、コンパクト容器１０は、容器本体２０の本体係止部位２１と、蓋体３０の蓋体係止部位３２とが係止することで閉蓋状態となる。本実施形態における本体係止部位２１は、係止突片２１Ａを備えたフックピース２１Ｂを有している。一方、蓋体係止部位３２は、係止突片２１Ａが係止される開口部３２Ａを有している。そして、容器本体２０の係止突片２１Ａが、蓋体３０の開口部３２Ａ内に挿入されて係止されることで、容器本体２０と蓋体３０との閉蓋状態が維持されるようになっている。
【００１４】
容器本体２０は、３つの凹部をその長手方向Ｘに沿って有している。詳細には、容器本体２０は、複数の収納凹部を有している。具体的には、第１収納凹部２２Ａ、第２収納凹部２２Ｂ及び第３収納凹部２２Ｃを有している。これら３つの収納凹部のうち第１収納凹部２２Ａは、長手方向Ｘの中央域に位置している。第２収納凹部２２Ｂ及び第３収納凹部２２Ｃは、第１収納凹部２２Ａを挟んで、長手方向Ｘの側部域にそれぞれ位置している。第１収納凹部２２Ａには、化粧料が充填された化粧料皿４０が収納されている。第２収納凹部２２Ｂ及び第３収納凹部２２Ｃは、化粧道具であるブラシ４１及びチップ４２がそれぞれ収納されている。
【００１５】
化粧料皿４０は平面視して略矩形をしており、区画壁４３によって複数の略矩形の区画に区分されている。区画された各区域には異なる種類の化粧料４４Ａ、４４Ｂ、４４Ｃ、４４Ｄ、４４Ｅが充填されて収納されている。尤も、化粧料皿４０を複数の区画に区分することは必須ではなく、コンパクト容器１０や化粧料の具体的な用途に応じて、化粧料皿４０に１種類の化粧料のみを充填してもよい。また本実施形態においては、容器本体２０に複数の収容凹部が形成されているが、本発明はこれに限られず、１つの収容凹部のみを設け、その収容凹部に１つの化粧料皿を収容させてもよい。本実施形態においては、複数の収納凹部のうちの１つの収納凹部２２Ａにのみ化粧料皿４０を収納したが、これに代えて、２以上の収納凹部にそれぞれ化粧料皿を収納してもよい（例えば後述する図２５参照）。
【００１６】
容器本体２０に設けられている３つの収納凹部のうち、第１収納凹部２２Ａは、該容器本体２０の周縁部に設けられている本体係止部位２１と隣接して配置されている。そして第１収納凹部２２Ａは、仕切り壁部４５によって本体係止部位２１と仕切られている。
【００１７】
コンパクト容器１０は更に、薄いシート状の扁平体からなる中蓋５０を備えている。なお当該技術分野においては、この中蓋５０のことを「保護シート」と呼ぶ場合もあるが、両者の間に本質的な差異はない。中蓋５０は、例えば透明、半透明又は不透明のものであり、合成樹脂から構成されている。コンパクト容器１０が閉蓋状態になったとき、中蓋５０は、化粧料皿４０内に充填されている化粧料４４Ａ−４４Ｅの露出面を少なくとも被覆するように、容器本体２０と蓋体３０との間に配置される。本実施形態で用いている中蓋５０は、化粧料４４Ａ−４４Ｅの露出面だけでなく、第２及び第３収納凹部２２Ｂ、２２Ｃ内に収納されたブラシ４１及びチップ４２も被覆している。このように、中蓋５０は、第１ないし第３収納凹部２２Ａ−２２Ｃの全域を被覆可能な大きさを有しており、中蓋５０における中蓋本体５１（後述する図３参照）は、第１ないし第３収納凹部２２Ａ−２２Ｃの平面視での形状と概ね同じ形状をしている。
【００１８】
中蓋５０は、図３に示すとおり、中蓋本体５１と、固定部５２とを有する。中蓋本体５１は、中蓋５０が、化粧料皿４０に充填された化粧料４４Ａ−４４Ｅの露出面を被覆する部位である。また中蓋本体５１は、第２及び第３収納凹部２２Ｂ、２２Ｃを被覆する部位でもある。中蓋本体５１は、その周縁部に垂下壁部５１Ａを有している。垂下壁部５１Ａは、中蓋本体５１の全周にわたって設けられている。垂下壁部５１Ａは、中蓋本体５１が、化粧料皿４０内に充填されている化粧料に触れないようにして、該化粧料に擦れ等を生じさせない目的で設けられている。
【００１９】
中蓋５０の固定部５２は、中蓋本体５１の周縁から延出する部位である。固定部５２は、これが容器本体２０に係止されることで、中蓋５０が容器本体に着脱可能に固定されるようになっている。固定部５２は、固定部第１部位５３及び固定部第２部位５４を有している。固定部第２部位５４は、固定部５２の基部をなし、中蓋本体５１の垂下壁部５１Ａと連接している。固定部第２部位５４と垂下壁部５１Ａとの連接部位５８は線状になっており、蝶番状に屈曲可能になっている。固定部第１部位５３は、固定部５２の先端側の部位であり、固定部第２部位５４と連接している。
【００２０】
図１に戻ると、本実施形態で用いている中蓋５０には、文字及び図形が付されている。これらの文字や図形は、コンパクト容器１０内に収納されている各化粧料４４Ａ−４４Ｅの説明や、各化粧料４４Ａ−４４Ｅを施す順序、及び化粧道具４１，４２の収納位置や塗布体の説明のために用いられる。これらの文字や図形は、中蓋５０が第１ないし第３収納凹部２２Ａ−２２Ｃ上に配置されたとき、各収納凹部２２Ａ−２２Ｃに収納されている各化粧料４４Ａ−４４Ｅや化粧道具４１，４２の収納位置と対応する場所に位置するように付されている。これらの文字や図形は、中蓋５０が、第１ないし第３収納凹部２２Ａ−２２Ｃの上に配されている状態から、前記の連接部位５８（図３及び図４参照）を回動軸として１８０度開いた状態になったときに、収納位置と対応した形で読み取り可能になっている。なお、文字及び図形は、これらのうちのどちらか一方だけが付されていてもよい。
【００２１】
図４には、中蓋５０における固定部５２の要部が拡大して示されている。上述のとおり、固定部５２は、中蓋本体５１の垂下壁部５１Ａから延出する固定部第２部位５４を有する。更に固定部５２は、固定部第２部位５４に連接する固定部第１部位５３を有する。固定部第２部位５４は、平坦なシート状ないし板状の部位である。一方、固定部第１部位５３は、その中央域に突起部５５を有する。突起部５５は、高さが相対的に高い主突起部５６と、主突起部５６よりも高さが相対的に低い副突起部５７とから構成されている。副突起部５７は、主突起部５６に対して固定部第２部位５４側に設けられている。主突起部５６と副突起部５７とは直接に接しており、両者間に谷部等は存在していない。主突起部５６及び副突起部５７はいずれも中空体から構成されている。固定部第２部位５４と垂下壁部５１Ａとの連接部位５８にはミシン目が設けられており、該連接部位５８の屈曲が容易になるようにしている。
【００２２】
固定部第１部位５３に形成されている突起部５５における主突起部５６は、固定部５２の先端部と、固定部５２と中蓋本体５１との連接部位５８との間に位置しており、該主突起部５６が、該固定部５２における最大厚み部となっている。そして、固定部５２における最大厚み部である主突起部５６よりも先端部寄りの部位及び連接部位寄りの部位での厚みは、主突起部５６の厚みよりも小さくなっている。また、主突起部５６よりも先端部寄りの部位及び連接部位寄りの部位での厚みは、後述する貫通孔６０（図５及び図６参照）の高さと同等であるか、又はそれよりも小さくなっている。
【００２３】
図４（ａ）及び（ｂ）に示すとおり、主突起部５６は、その高さがその全域において同じではなく、先端部に向かうに連れて漸次低くなっている。これによって、主突起部５６を、後述する貫通孔６０（図５及び図６参照）内に円滑に挿入することができる。一方、主突起部５６と副突起部５７との間では、ステップ状に厚みが変化している。このステップ状の厚みの変化によって、主突起部５６には背面壁５６Ａが形成される。この背面壁５６Ａが、固定部５２の係止部として作用する。主突起部５６は、後述するとおり、仕切り壁部４５に設けられた貫通孔６０内に、容器本体２０の第１収納凹部２２Ａの側から挿入された状態の固定部５２が、背面壁５６Ａによって該仕切り壁部４５に係止するようになっている。
【００２４】
図５及び図６には、上述した中蓋５０の固定部５２が容器本体２０に固定される状態が示されている。なお、図６に示す状態は、中蓋本体５１が開いて、各収納凹部２２Ａ−２２Ｃが露出した状態である。容器本体２０における第１収納凹部２２Ａと本体係止部位２１とを仕切る仕切り壁部４５は、第１収容凹部２２Ａに臨む壁部である第１壁部４５Ａと、第１壁部４５Ａと反対側に位置する第２壁部４５Ｂとを有する。また仕切り壁部４５には、該仕切り壁部４５をその厚み方向に貫通する貫通孔６０が設けられている。貫通孔６０は、横長の形をした矩形状に開口している。この貫通孔６０内に、第１収納凹部２２Ａの側から固定部５２を挿入する。固定部５２のうち、固定部第１部位５３が貫通孔６０内に挿入される部位である。固定部第１部位５３は、その幅が貫通孔６０の幅と同等であるか、又はそれよりも狭くなっているとともに、その厚み、すなわち主突起部５６における厚みが貫通孔６０の高さよりも大きくなっている。一方、固定部第２部位５４は、その幅が貫通孔６０の幅よりも広くなっているので、該貫通孔６０内への挿入が規制される。
【００２５】
図６に示すとおり、容器本体２０の本体係止部位２１の内部は、貫通孔６０に通じる空間６１が形成されている。固定部５２における固定部第１部位５３が貫通孔内６０に完全に挿入された状態においては、この空間６１内に該固定部第１部位５３が位置する。このとき、固定部第１部位５３における主突起部５６は、仕切り壁部４５における第２壁部４５Ｂよりも外方に位置している。また副突起部５７は、貫通孔６０内に概ね位置している。一方、固定部第２部位５４に関しては、該固定部第２部位５４は、固定部第１部位５３との連接部位５４Ａにおいて屈曲し、仕切り壁部４５における第１壁部４５Ａ及び化粧料皿の外壁に挟まれて、これらと対向するように起立している。そして、中蓋本体５１と固定部第２部位５４とのなす角度が概ね９０度となるように、固定部第２部位５４と中蓋本体５１との連接部位５８において中蓋本体５１の垂下壁部５１Ａが屈曲し、それによって中蓋本体５１が容器本体２０に対して外方側に開いている。このようにして、中蓋５０の容器本体２０への固定状態が完成する。
【００２６】
図６に示す固定状態から、固定部第１部位５３を引き抜こうとすると、主突起部５６の背面壁５６Ａの一部が、仕切り壁部４５の第２壁部４５Ｂに当接し、それ以上の引き抜きが規制される。つまり、この背面壁５６Ａが係止部として作用し、仕切り壁部４５の第２壁部４５Ｂに係止される。それによって、中蓋５０が容器本体から着脱しづらくなる。
【００２７】
図６に示す固定状態においては、先に述べたとおり、副突起部５７が貫通孔６０内に概ね位置している。副突起部５７は係止部としての作用は有さないものの、副突起部５７が存在していることで、固定部第１部位５３と、貫通孔６０の上縁６０Ａとの間の隙間Ｇを小さくすることができる。詳細には、副突起部５７の上端５７Ａと、貫通孔６０の上縁６０Ａとの間の隙間Ｇを小さくすることができる。これによって、容器本体２０に対して固定状態にある中蓋５０が、上下方向にがたつくことを効果的に防止することができる。また、固定部第１部位５３が意図せず引き抜かれてしまうことを効果的に防止することができる。
【００２８】
以上の実施形態のコンパクト容器１０によれば、これまでは利用されていなかった空間である、本体係止部位２１の内部に形成された空間６１を中蓋５０と容器本体２０との固定に利用しているので、コンパクト容器１０の形状や大きさが、中蓋５０が備える固定部５２によって影響を受けにくくなり、コンパクト容器１０のデザイン的な設計の自由度が高くなるという有利な効果が奏される。
【００２９】
以上の実施形態では、固定部第１部位５３に形成された係止部としての背面壁５６Ａが、仕切り壁部４５の第２壁部４５Ｂに係止されることで、固定部第１部位５３の引き抜きを規制したが、係止部が係止される部位は、容器本体２０のいずれかの部位であればよく、仕切り壁部４５に限られない。例えば図７（ａ）及び（ｂ）に示す本発明の第２実施形態によれば、係止部は、容器本体２０の底面部に凹設された凹部２３に係止される。以下にこのことを詳述する。
【００３０】
図７（ａ）に示すとおり、第２実施形態の固定部第１部位５３は、シート状体ないし板状体の中央域が凹陥して、下方に突出した突起部５５を有している。突起部５５は、その下方への突出の程度がその全域において同じではなく、先端部に向かうに連れて、突出の程度が漸次小さくなっている。これによって、突起部５５を、貫通孔６０内に円滑に挿入することができる。一方、突起部５５のうち、固定部第２部位５４側は、下方への突出の程度がステップ状に変化している。このステップ状の変化によって、突起部５５には背面壁５５Ａが形成される。この背面壁５５Ａが、固定部５２の係止部として作用する。
【００３１】
一方、容器本体２０における本体係止部位２１の底面には、上述した突起部５５と相補形状を有する凹部２３が凹設されている。凹部２３は、突起部５５の背面壁５５Ａと係止可能な垂直係止壁２４を有している。このような形状を有する凹部２３に固定部第１部位５３の突起部５５が嵌合すると、背面壁５５Ａと垂直係止壁２４とが互いに係止されて、固定部第１部位５３の引き抜きが規制される。
【００３２】
本実施形態においては、突起部５５が下方へ突出する程度は、突起部５５が凹部２３に嵌合できる限り、貫通孔６０の高さよりも大きくてもよく、あるいはそれ以下であってもよい。
【００３３】
図８（ａ）及び（ｂ）に示す本発明の第３実施形態では、固定部５２が、係止部としての背面壁５５Ａと、中蓋本体５１との連接部位５８との間に、仕切り壁部４５に係止される第２係止部５９を更に有している。詳細には、固定部第１部位５３は、シート状体ないし板状体の中央域が上方に突出した突起部５５を有している。突起部５５は、その上方への突出の程度がその全域において同じではなく、先端部に向かうに連れて、突出の程度が漸次小さくなっている。これによって、突起部５５を、貫通孔６０内に円滑に挿入することができる。一方、突起部５５のうち、固定部第２部位５４側は、上方への突出の程度がステップ状に変化している。このステップ状の変化によって、突起部５５には背面壁５５Ａが形成される。この背面壁５５Ａが、固定部５２の第１係止部として作用する。
【００３４】
また、固定部第１部位５３は、突起部５５に隣接して舌片体からなる第２係止部５９を有している。舌片体からなる第２係止部５９は、固定部５２を構成するシート状体ないし板状体に略Ｕ字状の切り込みを入れてＵ字の２つの端部間を基部として、切り込み部を上方に向けて起立させることで形成される。Ｕ字の２つの端部の位置は、突起部５５に隣接した位置とすることが好ましい。舌片体からなる第２係止部５９を、貫通孔６０の高さよりも高くすることで、第２係止部５９を仕切り壁部４５の第２壁部４５Ｂに係止させることができる。したがって、第２係止部５９の高さは、貫通孔６０の高さよりも高ければよく、第２係止部５９の高さと、突起部５５の突出高さとは、個々に独立して設定することができる。本実施形態によれば、突起部５５の背面壁５５Ａによる第１係止部と、舌片体からなる第２係止部５９との双方による係止を行うことができるので、固定部第１部位５３の意図しない引き抜きを一層効果的に防止することができる。
【００３５】
図９（ａ）及び（ｂ）に示す本発明の第４実施形態では、容器本体２０の底面部に嵌合凹部７０が凹設されている。一方、固定部５２は、係止部としての背面壁５５Ａと、中蓋本体５１との連接部位５８との間に、嵌合凹部７０に嵌合する嵌合凸部７１を有している。詳細には、固定部第１部位５３には、これまでの実施形態と同様に係止部としての背面壁５５Ａを有する突起部５５が形成されている。これに加えて、固定部第１部位５３には、下方に向けて突出した嵌合凸部７１が形成されている。嵌合凸部７１は、突起部５５に隣接し、かつ突起部５５よりも中蓋本体５１側に位置している。一方、容器本体２０における本体係止部位２１の底面には、上述した嵌合凸部７１と相補形状を有する嵌合凹部７０が凹設されている。嵌合凹部７０は、貫通孔６０の直下又はその近傍に凹設されている。嵌合凹部７０は、容器本体の底面部を貫通する孔であってもよく、あるいは有底の穴であってもよい。これらのうち、貫通孔からなる嵌合凹部７０を採用すると、容器本体２０の金型成形上、有利な場合がある。
【００３６】
本実施形態においては、固定部第１部位５３が貫通孔６０内に挿入されると、固定部第１部位５３に設けられた嵌合凸部７１が、容器本体の底面部に凹設された嵌合凹部７０に嵌合する。この嵌合と、係止部としての背面壁５５Ａが、仕切り壁部４５の第２壁部４５Ｂに係止されることとの相乗効果によって、本実施形態によれば、固定部第１部位５３の意図しない引き抜きを一層効果的に防止することができる。
【００３７】
図１０（ａ）及び（ｂ）に示す本発明の第５実施形態では、仕切り壁部４５の壁面のうち、第１収納凹部２２Ａに臨む壁部である第１壁部４５Ａに嵌合凹部７２が凹設されている。一方、固定部５２は、係止部としての背面壁５５Ａと、中蓋本体５１との連接部位５８との間に、嵌合凹部７２に嵌合する嵌合凸部７３を有している。詳細には、固定部第１部位５３には、これまでの実施形態と同様に係止部としての背面壁５５Ａを有する突起部５５が形成されている。これに加えて、固定部第１部位５３には、突起部５５と同方向に突出する嵌合凸部としての第２突起部７３が形成されている。第２突起部７３は、突起部５５から距離を隔てて、突起部５５よりも中蓋本体５１側に位置している。具体的には、第２突起部７３は固定部第２部位５４に形成されている。固定部第２部位５４は、仕切り壁部４５の第１壁部４５Ａと対向する部位である。一方、仕切り壁部４５の第１壁部４５Ａには、上述した第２突起部７３と相補形状を有する嵌合凹部７２が凹設されている。嵌合凹部７２は、仕切り壁部４５を、第１壁部４５Ａの側から厚み方向に向けて凹陥させて形成されている。
【００３８】
本実施形態においては、固定部第１部位５３が貫通孔６０内に挿入されると、固定部第２部位５４に設けられた第２突起部７３が、仕切り壁部４５の第１壁部４５Ａに凹設された嵌合凹部７２に嵌合する。この嵌合によって、容器本体２０に対して固定状態にある中蓋５０が、上下方向にがたつくことを効果的に防止することができる。
【００３９】
図１１（ａ）及び（ｂ）に示す本発明の第６実施形態は、図１０（ａ）及び（ｂ）に示す第５実施形態と同様に、仕切り壁部４５の第１壁部４５Ａに凹設された嵌合凹部７２に嵌合する嵌合凸部７３を、固定部５２の固定部第２部位５４に設けた例である。ただし、第５実施形態では、嵌合凸部７３は、シート状体ないし板状体の固定部第２部位５４を突出させて形成されたものであるのに対し、本実施形態では、シート状体ないし板状体の固定部第２部位５４における幅方向の左右両側部域に一対の突出片７４を設け、該突出片７４を、突起部５５の突出方向と同方向に向けて折り曲げて起立させて形成されたものである点で異なる。このように、本実施形態では、突出片７４から嵌合凸部７３を形成しているので、この嵌合凸部７３に嵌合する嵌合凹部７２の形状は、細幅のスリット形状のものとなる。本実施形態においても、第５実施形態と同様の有利な効果が奏される。
【００４０】
図１２に示す本発明の第７実施形態では、固定部５２が、係止部としての背面壁５５Ａと、中蓋本体５１との連接部位５８との間に、第２突起部８２を有している。第２突起部８２は、シート状体ないし板状体の固定部第１部位５３を上方に向けて突出させて形成されている。したがって、第２突起部８２の突出方向は、突起部５５の突出方向と同方向になっている。突起部５５と第２突起部８２の間には、谷部７５が形成されている。第２突起部８２はその高さが、貫通孔６０の高さと同等又はそれよりも若干低くなっている。固定部第１部位５３が、貫通孔６０内に挿入された状態において、第２突起部８２は、貫通孔６０内に位置している。本実施形態によれば、先に述べた図６に示す実施形態と同様に、第２突起部８２の上端と、貫通孔６０の上縁６０Ａとの間の隙間を小さくすることができる。これによって、容器本体２０に対して固定状態にある中蓋５０が、上下方向にがたつくことを効果的に防止することができる。また、固定部第１部位５３が意図せず引き抜かれてしまうことを効果的に防止することができる。
【００４１】
これまでに説明してきた実施形態においては、固定部第１部位５３において、上方又は下方に向けて突出した突起部５５に形成された係止部を利用して、該係止部を容器本体２０のいずれかの部位に係止させるようにしたものであったところ、図１３（ａ）及び（ｂ）に示す本発明の第８実施形態では、２つの突起部の組み合わせによって、一つの係止部を形成するものである。詳細には、固定部第１部位５３に、上方に向けて突出した第１突起部７６と、下方に向けて突出した第２突起部７７との組み合わせが形成されている。第１突起部７６は、固定部５２の先端部側に位置している。第２突起部７７は、固定部５２と中蓋本体５１との連接部位５８側に位置している。第１突起部７６及び第２突起部７７はいずれも、その高さが貫通孔６０の高さと同等であるか又はそれよりも低くなっている。そして、第１突起部７６の高さと第２突起部７７の高さとの和が、貫通孔６０の高さよりも大きくなっている。これによって、第１突起部７６と第２突起部７７との高低差が、貫通孔６０の高さよりも大きくなり、それによって、貫通孔６０内に挿入された状態の固定部第１部位５３を引き抜くときに、第１突起部７６の背面壁７６Ａが、仕切り壁部４５の第２壁部４５Ｂに係止されて、引き抜きが規制される。
【００４２】
図１４（ａ）及び（ｂ）に示す本発明の第９実施形態では、仕切り壁部４５の壁面のうち、第１収納凹部２２Ａに臨む壁部である第１壁部４５Ａと反対側の壁部、すなわち第２壁部４５Ｂにリブ７８が設けられている。リブ７８は、少なくとも貫通孔６０の幅内の領域に一対設けられている。リブ７８は、第１壁部４５Ａと直交する方向に延出している。また、リブ７８は縦方向にも延びている。一方、固定部５２は、これまでに実施形態と同様に、その固定部第１部位５３に突起部５５及び係止部としての背面壁５５Ａを有している。そして、固定部５２における固定部第１部位５３が、貫通孔６０内に挿入された状態において、突起部５５の上端５５Ｂが、リブ７８の下端７８Ａ又はその近傍に位置するように、該リブ７８はその高さ方向の位置が調整されて配置されている。このように構成することで、突起部５５の上端５５Ｂとリブ７８の下端７８Ａとの間に形成される隙間が小さくなるので、容器本体２０に対して固定状態にある中蓋５０が、上下方向にがたつくことを効果的に防止することができる。リブ７８の下端７８Ａは、貫通孔６０の上縁よりも上方に位置している。
【００４３】
図１５（ａ）及び（ｂ）に示す本発明の第１０実施形態では、図１４（ａ）及び（ｂ）に示す第９実施形態と同様に、第２壁部４５Ｂにリブ７８を設けたものである。ただし第９実施形態で設けたリブ７８は、縦方向に延びているものであるのに対して、本実施形態で設けたリブ７８は、横方向に延びているものである。横方向に延びるリブ７８は、少なくとも貫通孔６０の幅内の領域に設けられている。本実施形態においても、第９実施形態と同様の有利な効果が奏される。
【００４４】
図１６に示す本発明の第１１実施形態では、容器本体２０に設けられた本体係止部位２１が、該本体係止部位２１と、蓋体３０の周縁部に設けられた蓋体係止部位３１との係止を解除する係止解除部材としてのフックピース２１Ｂを有している。フックピース２１Ｂは、横断面の形状が略コ字状になっており、その上面に係止突片２１Ａが突設されている。フックピース２１Ｂは、貫通孔６０内に挿入された状態の固定部５２に対向するように配置されている。具体的には、断面略コ字状のフックピース２１Ｂにおける開口部が、固定部５２の固定部第１部位５３に対向するように配置されている。この状態においては、フックピース２１Ｂと固定部第１部位５３の先端とは当接していてもよく、あるいは当接していなくてもよい。フックピース２１Ｂは、これを押し込むことで本体係止部位２１と蓋体係止部位３１との係止が解除可能な構造になっている。そのような構造は、当該技術分野において良く知られたものである。
【００４５】
本体係止部位２１と蓋体係止部位３１との係止を解除するためにフックピース２１Ｂを押し込むと、該フックピース２１Ｂの前進によって、該フックピース２１Ｂと固定部第１部位５３との当接の程度が次第に高くなる。それに伴い、固定部第１部位５３が次第に弾性変形する。そして、固定部第１部位５３が弾性変形する分だけ、フックピース２１Ｂを勢いよく押し込みづらくなる。その結果、フックピース２１Ｂを押し込むときに、使用者に弾性的なしなやかな感触を与えることができ、コンパクト容器１０に高級感を付与することができる。なお、本実施形態において、フックピース２１Ｂが固定部第１部位５３と当接する部位は、該固定部第１部位５３の先端部だけに限られず、その他の部位、例えば突起部５５やその近傍の部位であってもよい。
【００４６】
図１７に示す本発明の第１２実施形態では、フックピース２１Ｂを押し込む前の状態において、フックピース２１Ｂと固定部第１部位５３の先端とが既に当接している。したがって、本実施形態によれば、フックピース２１Ｂの押し込みの当初から、使用者に弾性的なしなやかな感触を与えることができるという利点がある。
【００４７】
これまで説明してきた実施形態においては、容器本体２０の本体係止部位２１に係止突片２１Ａが設けられていたが、図１８に示す本発明の第１３実施形態では、これとは逆に蓋体３０の周縁部に設けられた蓋体係止部位３１に、該蓋体係止部位３１と、容器本体２０に設けられた本体係止部位２１とを係止する係止突片３２Ｂが垂設されている。具体的には、係止突片３２Ｂは、仕切り壁部４５の第２壁部４５Ｂに設けられた係止突起部２１Ｃと係止するようになっている。一方、固定部５２における固定部第１部位５３には、これまでの実施形態と同様に突起部５５及び係止部としての背面壁５５Ａが設けられている。そして本実施形態においては、図１８に示すとおり、コンパクト容器１０の閉蓋状態が進行するに連れて、係止突片３２Ｂが突起部５５に徐々に当接するようにしている。本実施形態においては、係止突片３２Ｂが突起部５５に徐々に当接することで、該突起部５５が徐々に弾性変形する。それによって、係止突片３２Ｂと係止突起部２１Ｃとが勢いよく係止することが抑制され、閉蓋時に発生する音を低減させることができ、コンパクト容器１０に高級感を付与することができる。
【００４８】
図１９に示す本発明の第１４実施形態は、上述した第１３実施形態の変形例である。第１３実施形態では、１つの山部からなる突起部５５に係止突片３２Ｂが徐々に当接するようになっていたところ、本実施形態では、突起部５５が幅方向に距離を隔てた２つの山部７９から構成されている。そしてコンパクト容器１０の閉蓋状態が進行するに連れて、蓋体係止部位３１設けられた係止突片３２Ｂが、２つの山部７９の間に入り込んでいき、突起部５５が徐々に弾性変形する。本実施形態によれば、第１３実施形態と同様に、閉蓋時に発生する音を低減させることができる。更に本実施形態によれば、係止突片３２Ｂと係止突起部２１Ｃとが係止するときの振動の発生を抑制することもできる。その結果、化粧料皿４０内に充填されている化粧料４４Ａ−４４Ｅに割れや欠けなどが発生することを効果的に防止することができる。ここで言う幅方向とは、固定部５２の挿入方向と直交する方向のことであり、容器本体２０における長手方向Ｘと一致する方向である。
【００４９】
図２０に示す本発明の第１５実施形態は、第１３実施形態及び第１4実施形態と同様の係止構造を有している。更に本実施形態は、第１３実施形態及び第１4実施形態と同様に突起部５５及び背面壁５５Ａを有している。更に本実施形態においては、固定部５２が、係止部である背面壁５５Ａと、固定部５２と中蓋本体５１との連接部位５８との間に、上方に向けて突出した第２突起部８０を有している。そして固定部５２が容器本体２０に固定された状態において、第２突起部８０が、仕切り壁部４５の第１壁部４５Ａに当接するようにしている。こうすることで、係止突片３２Ｂと係止突起部２１Ｃとが係止するときの発生する振動が、第２突起部８０によって緩衝されて、該振動が化粧料皿４０へ伝わりにくくなる。その結果、上述した第１４実施形態と同様に、化粧料皿４０内に充填されている化粧料４４Ａ−４４Ｅに割れや欠けなどが発生することを効果的に防止することができる。
【００５０】
これまで説明してきた実施形態では、固定部５２の固定部第１部位５３に形成されている係止部が、該固定部第１部位５３の厚み方向に沿って形成されていたものであったが、図２１に示す第１６実施形態はこれと異なり、固定部５２は、その先端部と、中蓋本体との連接部位５８との間に、係止部としての最大幅部Ｗを有している。最大幅部Ｗは、固定部第１部位５３に形成されている。最大幅部Ｗでの幅は貫通孔６０の幅よりも広くなっている。また、最大幅部Ｗよりも先端部寄りの部位及び連接部位５８寄りの部位での幅は、貫通孔６０の幅と同等であるか、又はそれよりも狭くなっている。本実施形態においても、これまでの実施形態と同様に、中蓋が備える固定部によって影響を受けにくくなり、コンパクト容器のデザイン的な設計の自由度が高くなるという効果が奏される。
【００５１】
これまで説明してきた実施形態では、仕切り壁部４５に形成された貫通孔６０が、容器本体２０の長手方向における概ね中央部に位置していた。これに対して、図２２及び図２３に示す第１７実施形態では、仕切り壁部４５に形成された貫通孔６０が、容器本体２０の長手方向における中央部よりもいずれかの側部寄りに偏倚して位置している。詳細には、本実施形態のコンパクト容器１０においては、容器本体２０に２つの収納凹部である第１収納凹部２２Ａ及び第２収納凹部２２Ｂが形成されている。第１収納凹部２２Ａには、化粧料４４が充填された化粧料皿４０が収納される。第２収納凹部２２Ｂには、化粧道具であるパフ８１が収納される。第１収納凹部２２Ａと第２収納凹部２２Ｂとは、容器本体２０の長手方向Ｘに沿う長さが概ね同じになっている。したがって、第１収納凹部２２Ａと第２収納凹部２２Ｂとを仕切る仕切り壁部８３は、容器本体２０をその長手方向Ｘに二分する位置に設けられている。その結果、貫通孔６０を、容器本体２０の長手方向Ｘの中央部に設けることができない。そこで本実施形態においては、図２４に示すとおり、貫通孔６０を、長手方向Ｘの中央部から第２収納凹部２２Ｂ寄りの位置に偏倚させて形成している。なお、本実施形態においては、貫通孔６０の形成位置を、長手方向Ｘの中央部から第１収納凹部２２Ａ寄りに偏倚させてもよい。こうすることで、中蓋５０の固定部第２部位５４を、仕切り壁部４５と化粧料皿４０とで挟み込むことができるので、中蓋５０の固定を一層確実なものとすることができる。
【００５２】
図２５に示す本発明の第１８実施形態では、中蓋５０が、複数の中蓋本体５９Ａ，５９Ｂを有している。各中蓋本体５９Ａ，５９Ｂは、容器本体２０に形成された第１収納凹部２２Ａ及び第２収納凹部２２Ｂのそれぞれを被覆するように配置されている。詳細には、容器本体２０には、第１の化粧料４４Ａが充填された化粧料皿が収納される第１収納凹部２２Ａ、及び第２の化粧料４４Ｂが充填された化粧料皿が収納される第２収納凹部２２Ｂが形成されており、更にブラシ４１が収納される第３収納凹部２２Ｃ及びチップ４２が収納される第４収納凹部２２Ｄも形成されている。そして、中蓋本体５９Ａは、第１収納凹部２２Ａ及び第３収納凹部２２Ｃを被覆し得る形状及び大きさを有しており、中蓋本体５９Ｂは、第２収納凹部２２Ｂ及び第４収納凹部２２Ｄを被覆し得る形状及び大きさを有している。なお本実施形態において、化粧料皿の数は、図示のものに限られず、幅方向Ｙには、同じ幅の複数の化粧料皿が、第１収容凹部２２Ａ及び第２収容凹部２２Ｂを埋めるように収容されていてもよい。このような形態を採用することによっても、中蓋５０の固定部第２部位５４を、仕切り壁部４５の第１壁部４５Ａと化粧料皿とで挟み込むことができる。また本実施形態において、第１収容凹部２２Ａ及び第２収容凹部２２Ｂに１つの化粧料皿を収容し、当該化粧料皿の中を複数の区画に区分し、区画ごとに異なる種類の化粧料を充填してもよい。例えば化粧料皿における左右に異なる種類の化粧料を充填しておき、その上を中蓋５０が被覆することで、一方の化粧料は中蓋で被覆したまま、他方の中蓋を開けることができる。
【００５３】
各中蓋本体５９Ａ，５１Ｂは、１つの固定部５２によって連結されている。詳細には、中蓋本体５９Ａからは固定部第２部位５４が延出しており、同様に中蓋本体５９Ｂからも固定部第２部位５４が延出している。そして、これら２つの固定部第２部位５４が連結しており、その連結部５４Ｂから固定部第１部位５３が延出している。固定部第１部位５３の形状は、第１実施形態と同様とすることができる。
【００５４】
以上の第２ないし第１８実施形態に関し、特に説明しない点については、第１実施形態に関する説明が適宜適用される。また、第２ないし第１８実施形態に係る図７ないし図２５において、第１実施形態に係る図１ないし図６に示す部材と同じ部材には、同じ符号を付してある。
【００５５】
以上、本発明をその好ましい実施形態に基づき説明したが、本発明は前記実施形態に制限されない。例えば上述した各実施形態の技術要素は、本発明によって奏される効果が損なわれない限りにおいて相互に置換可能である。
【００５６】
上述した実施形態に関し、本発明は更に以下の態様を開示する。
【００５７】
本発明は下記＜１＞に記載のコンパクト容器用中蓋に係るものである。
【００５８】
＜１＞化粧料が充填された化粧料皿を収納するコンパクト容器に用いられ、かつ該化粧料の露出面を被覆するように配置されるコンパクト容器用中蓋であって、前記コンパクト容器は、容器本体と、該容器本体に開閉自在に結合された蓋体とを備え、前記コンパクト容器は、前記容器本体の周縁部に設けられた本体係止部位と、前記蓋体の周縁部に設けられた蓋体係止部位とが係止することで閉蓋状態となるものであり、前記容器本体は、１又は２以上の収納凹部を有し、該収納凹部のうちのいずれかに、前記化粧料が充填された前記化粧料皿が収納されるようになっており、前記収納凹部のうちのいずれかは、前記本体係合部と隣接して配置されており、かつ仕切り壁部によって該本体係合部と仕切られており、前記仕切り壁部には、該仕切り壁部をその厚み方向にわたって貫通する貫通孔が設けられており、前記中蓋は、前記化粧料皿に充填された前記化粧料の露出面を被覆する中蓋本体と、該中蓋本体の周縁から延出し、かつ前記貫通孔内に挿入される部位を備えた固定部とを有し、前記固定部に係止部を設け、前記収納凹部の側から前記仕切り壁部の前記貫通孔内に挿入された状態の該固定部が、該係止部によって前記容器本体のいずれかの部位に係止されるようにした、コンパクト容器用中蓋。
【００５９】
本発明は、更に以下のコンパクト容器用中蓋に係るものであることが好ましい。
【００６０】
＜２＞前記固定部は、その先端部と、前記中蓋本体との連接部との間に、前記係止部としての最大幅部を有し、該最大幅部での幅が前記貫通孔の幅よりも広くなっており、かつ、該最大幅部よりも該先端部寄りの部位及び該連接部寄りの部位での幅が、該貫通孔の幅と同等であるか、若しくはそれよりも狭くなっているか、又は前記固定部は、その先端部と、前記中蓋本体との連接部との間に、前記係止部としての最大厚み部を有し、該最大厚み部での厚みが前記貫通孔の高さよりも大きくなっており、かつ、該最大厚み部よりも該先端部寄りの部位及び該連接部寄りの部位での厚みが、該貫通孔の高さと同等であるか、若しくはそれよりも小さくなっている、前記＜１＞に記載のコンパクト容器用中蓋。
＜３＞前記固定部は、前記係止部と、前記中蓋本体との連接部との間に、仕切り壁部に係止される第２係止部を更に有する、前記＜１＞又は＜２＞に記載のコンパクト容器用中蓋。
＜４＞前記容器本体の底面部に嵌合凹部が凹設されており、前記固定部は、前記係止部と、前記中蓋本体との連接部との間に、前記嵌合凹部に嵌合する嵌合凸部を有する、前記＜１＞から前記＜３＞のいずれか１に記載のコンパクト容器用中蓋。
＜５＞前記仕切り壁部の壁面のうち、前記収納凹部に臨む壁部に嵌合凹部が凹設されており、前記固定部は、前記係止部と、前記中蓋本体との連接部との間に、前記嵌合凹部に嵌合する嵌合凸部を有する、前記＜１＞から前記＜４＞のいずれか１に記載のコンパクト容器用中蓋。
【００６１】
＜６＞前記固定部は、前記係止部と、前記中蓋本体との連接部との間に、上方に向けて突出した突起部を有し、前記突起部はその高さが、前記貫通孔の高さと同等又はそれよりも低くなっている、前記＜１＞から前記＜５＞のいずれか１に記載のコンパクト容器用中蓋。
＜７＞前記係止部が、上方に向けて突出した第１突起部と、下方に向けて突出した第２突起部との組み合わせからなり、第１突起部は、前記固定部の先端部側に位置し、かつ第２突起部は、該固定部と前記中蓋本体との連接部側に位置しており、第１突起部及び第２突起部はいずれも、その高さが前記貫通孔の高さと同等であるか又はそれよりも低くなっており、第１突起部の高さと第２突起部の高さとの和が、前記貫通孔の高さよりも大きくなっている、前記＜１＞から前記＜６＞のいずれか１に記載のコンパクト容器用中蓋。
＜８＞前記仕切り壁部の壁面のうち、前記収納凹部に臨む壁部と反対側の壁部にリブが設けられており、前記固定部は、その先端部と、前記中蓋本体との連接部との間に、前記係止部としての最大厚み部を有し、該最大厚み部での厚みが前記貫通孔の高さよりも大きくなっており、かつ、該最大厚み部よりも該先端部寄りの部位及び該連接部寄りの部位での厚みが、該貫通孔の高さと同等であるか、又はそれよりも小さくなっており、前記固定部が、前記貫通孔内に挿入された状態において、前記最大厚み部の上端が、前記リブの下端又はその近傍に位置するように、該リブを配置した、前記＜１＞から前記＜７＞のいずれか１に記載のコンパクト容器用中蓋。
＜９＞前記容器本体に設けられた前記本体係止部位が、該本体係止部位と、前記蓋体の周縁部に設けられた前記蓋体係止部位との係止を解除する係止解除部材を有しており、前記係止解除部材は、前記貫通孔内に挿入された状態の前記固定部に対向するように配置されているとともに、該係止解除部材を押し込むことで前記係止の解除が可能な構造になっており、前記係止解除部材の押し込みによって、前記固定部を弾性変形させるようにした、前記＜１＞から前記＜８＞のいずれか１に記載のコンパクト容器用中蓋。
＜１０＞前記蓋体の周縁部に設けられた前記蓋体係止部位に、該蓋体係止部位と、前記容器本体に設けられた前記本体係止部位とを係止する係止突片が設けられており、前記固定部は、その先端部と、前記中蓋本体との連接部との間に、前記係止部としての最大厚み部を有し、該最大厚み部での厚みが前記貫通孔の高さよりも大きくなっており、かつ、該最大厚み部よりも該先端部寄りの部位及び該連接部寄りの部位での厚みが、該貫通孔の高さと同等であるか、又はそれよりも小さくなっており、前記コンパクト容器の閉蓋状態が進行するに連れて、前記係止突片が前記最大厚み部に徐々に当接するようにした、前記＜１＞から前記＜９＞のいずれか１に記載のコンパクト容器用中蓋。
＜１１＞前記最大厚み部が、距離を隔てた２つの山部を有し、前記コンパクト容器の閉蓋状態が進行するに連れて、前記係止突片が２つの前記山部の間に入り込むようにした、前記＜１０＞に記載のコンパクト容器用中蓋。
【００６２】
＜１２＞前記固定部は、その先端部と、前記中蓋本体との連接部との間に、前記係止部としての最大厚み部を有し、該最大厚み部での厚みが前記貫通孔の高さよりも大きくなっており、かつ、該最大厚み部よりも該先端部寄りの部位及び該連接部寄りの部位での厚みが、該貫通孔の高さと同等であるか、又はそれよりも小さくなっており、前記固定部は、前記係止部と、前記中蓋本体との連接部との間に、上方に向けて突出した突起部を有し、前記固定部が前記容器本体に固定された状態において、前記突起部が、前記仕切り壁部の壁面のうち、前記収納凹部に臨む壁部に当接するようにした、前記＜１＞から前記＜１１＞のいずれか１に記載のコンパクト容器用中蓋。
＜１３＞前記中蓋が、複数の前記中蓋本体を有し、各中蓋本体が、複数の前記収納凹部のそれぞれを被覆するように配置されており、複数の前記中蓋本体が１つの前記固定部によって連結されている、前記＜１＞から前記＜１２＞のいずれか１に記載のコンパクト容器用中蓋。
＜１４＞前記固定部が、固定部第１部位及び固定部第２部位を有しており、前記固定部第２部位は、前記コンパクト固定部の基部をなし、前記中蓋本体と連接しており、前記固定部第１部位は、前記固定部の先端側の部位であり、前記固定部第２部位と連接しており、前記固定部第２部位と前記中蓋本体との連接部位が線状になっており、蝶番状に屈曲可能になっている前記＜１＞から前記＜１３＞のいずれか１に記載のコンパクト容器用中蓋。
＜１５＞前記固定部第２部位が、平坦なシート状ないし板状の部位であり、前記固定部第１部位が、その中央域に突起部を有する前記＜１４＞に記載のコンパクト容器用中蓋。
【００６３】
＜１６＞前記突起部が、高さが相対的に高い主突起部と、該主突起部よりも高さが相対的に低い副突起部とから構成されており、前記副突起部は、前記主突起部に対して前記固定部第２部位側に設けられている前記＜１５＞に記載のコンパクト容器用中蓋。
＜１７＞前記主突起部及び前記副突起部がいずれも中空体から構成されている前記＜１６＞に記載のコンパクト容器用中蓋。
＜１８＞前記固定部が前記容器本体に固定された状態において、前記副突起部が前記貫通孔内に概ね位置している前記＜１６＞又は前記＜１７＞に記載のコンパクト容器用中蓋。
＜１９＞前記主突起部と前記副突起部との間では、ステップ状に厚みが変化しており、このステップ状の厚みの変化によって、前記固定部の係止部としての背面壁が前記主突起部に形成されている前記＜１６＞から前記＜１８＞のいずれか１に記載のコンパクト容器用中蓋。
＜２０＞前記仕切り壁部の壁面のうち、前記収納凹部に臨む壁部と反対側の壁部に、前記背面壁が係止する前記＜１９＞に記載のコンパクト容器用中蓋。
＜２１＞前記主突起部は、その高さが先端部に向かうに連れて漸次低くなっている前記＜１６＞から前記＜２０＞のいずれか１に記載のコンパクト容器用中蓋。
【００６４】
＜２２＞前記固定部は、その先端部と、前記中蓋本体との連接部との間に、前記係止部としての最大厚み部を有し、該最大厚み部での厚みが前記貫通孔の高さよりも大きくなっており、かつ、該最大厚み部よりも該先端部寄りの部位及び該連接部寄りの部位での厚みが、該貫通孔の高さと同等であるか、又はそれよりも小さくなっており、前記主突起部が、前記固定部の先端部と、該固定部と前記中蓋本体との前記連接部位との間に位置しており、該主突起部が、該固定部における最大厚み部となっている前記＜１４＞から前記＜２１＞のいずれか１に記載のコンパクト容器用中蓋。
＜２３＞前記固定部は、その先端部と、前記中蓋本体との連接部との間に、前記係止部としての最大幅部を有し、該最大幅部での幅が前記貫通孔の幅よりも広くなっており、かつ、該最大幅部よりも該先端部寄りの部位及び該連接部寄りの部位での幅が、該貫通孔の幅と同等であるか、又はそれよりも狭くなっており、前記最大幅部が、前記固定部第１部位に形成されている前記＜１４＞に記載のコンパクト容器用中蓋。
＜２４＞前記固定部第２部位と前記中蓋本体との前記連接部位にミシン目が設けられている前記＜１４＞から前記＜２３＞のいずれか１に記載のコンパクト容器用中蓋。
＜２５＞前記中蓋に、文字又は図形が付されており、文字又は図形は、前記中蓋が前記収納凹部上に配置されたとき、各収納凹部に収納されている化粧料又は化粧道具の収納位置と対応する場所に位置するように付されている前記＜１＞から前記＜２４＞のいずれか１に記載のコンパクト容器用中蓋。
＜２６＞１又は２以上の収納凹部を有する容器本体と、該容器本体に開閉自在に結合された蓋体とを備え、化粧料が充填された化粧料皿が、前記収納凹部のうちのいずれかに収納されており、前記化粧料の露出面を被覆するように中蓋が配置されたコンパクト容器であって、前記コンパクト容器は、前記容器本体の周縁部に設けられた本体係止部位と、前記蓋体の周縁部に設けられた蓋体係止部位とが係止することで閉蓋状態となるものであり、前記収納凹部のうちのいずれかが、前記本体係合部と隣接して配置されており、かつ仕切り壁部によって該本体係合部と仕切られており、前記仕切り壁部には、該仕切り壁部をその厚み方向にわたって貫通する貫通孔が設けられており、前記中蓋は、前記化粧料皿に充填された前記化粧料の露出面を被覆する中蓋本体と、該中蓋本体の周縁から延出し、かつ前記貫通孔内に挿入される部位を備えた固定部とを有し、前記固定部に係止部を設け、前記収納凹部の側から前記仕切り壁部の前記貫通孔内に挿入された状態の該固定部が、該係止部によって前記容器本体のいずれかの部位に係止されるようにした、コンパクト容器。
【００６５】
＜２７＞前記固定部は、その先端部と、前記中蓋本体との連接部との間に、前記係止部としての最大幅部を有し、該最大幅部での幅が前記貫通孔の幅よりも広くなっており、かつ、該最大幅部よりも該先端部寄りの部位及び該連接部寄りの部位での幅が、該貫通孔の幅と同等であるか、若しくはそれよりも狭くなっているか、又は前記固定部は、その先端部と、前記中蓋本体との連接部との間に、前記係止部としての最大厚み部を有し、該最大厚み部での厚みが前記貫通孔の高さよりも大きくなっており、かつ、該最大厚み部よりも該先端部寄りの部位及び該連接部寄りの部位での厚みが、該貫通孔の高さと同等であるか、若しくはそれよりも小さくなっている、前記＜２６＞に記載のコンパクト容器。
＜２８＞前記固定部は、前記係止部と、前記中蓋本体との連接部との間に、仕切り壁部に係止される第２係止部を更に有する、前記＜２６＞又は＜２７＞に記載のコンパクト容器。
＜２９＞前記容器本体の底面部に嵌合凹部が凹設されており、前記固定部は、前記係止部と、前記中蓋本体との連接部との間に、前記嵌合凹部に嵌合する嵌合凸部を有する、前記＜２６＞から前記＜２８＞のいずれか１に記載のコンパクト容器。
＜３０＞前記仕切り壁部の壁面のうち、前記収納凹部に臨む壁部に嵌合凹部が凹設されており、前記固定部は、前記係止部と、前記中蓋本体との連接部との間に、前記嵌合凹部に嵌合する嵌合凸部を有する、前記＜２６＞から前記＜２９＞のいずれか１に記載のコンパクト容器。
＜３１＞前記固定部は、前記係止部と、前記中蓋本体との連接部との間に、上方に向けて突出した突起部を有し、前記突起部はその高さが、前記貫通孔の高さと同等又はそれよりも低くなっている、前記＜２６＞から前記＜３０＞のいずれか１に記載のコンパクト容器。
【００６６】
＜３２＞前記係止部が、上方に向けて突出した第１突起部と、下方に向けて突出した第２突起部との組み合わせからなり、第１突起部は、前記固定部の先端部側に位置し、かつ第２突起部は、該固定部と前記中蓋本体との連接部側に位置しており、第１突起部及び第２突起部はいずれも、その高さが前記貫通孔の高さと同等であるか又はそれよりも低くなっており、第１突起部の高さと第２突起部の高さとの和が、前記貫通孔の高さよりも大きくなっている、前記＜２６＞から前記＜３１＞のいずれか１に記載のコンパクト容器。
＜３３＞前記仕切り壁部の壁面のうち、前記収納凹部に臨む壁部と反対側の壁部にリブが設けられており、前記固定部は、その先端部と、前記中蓋本体との連接部との間に、前記係止部としての最大厚み部を有し、該最大厚み部での厚みが前記貫通孔の高さよりも大きくなっており、かつ、該最大厚み部よりも該先端部寄りの部位及び該連接部寄りの部位での厚みが、該貫通孔の高さと同等であるか、又はそれよりも小さくなっており、前記固定部が、前記貫通孔内に挿入された状態において、前記最大厚み部の上端が、前記リブの下端又はその近傍に位置するように、該リブを配置した、前記＜２６＞から前記＜３２＞のいずれか１に記載のコンパクト容器。
＜３４＞前記容器本体に設けられた前記本体係止部位が、該本体係止部位と、前記蓋体の周縁部に設けられた前記蓋体係止部位との係止を解除する係止解除部材を有しており、前記係止解除部材は、前記貫通孔内に挿入された状態の前記固定部に対向するように配置されているとともに、該係止解除部材を押し込むことで前記係止の解除が可能な構造になっており、前記係止解除部材の押し込みによって、前記固定部を弾性変形させるようにした、前記＜２６＞から前記＜３３＞のいずれか１に記載のコンパクト容器。
＜３５＞前記蓋体の周縁部に設けられた前記蓋体係止部位に、該蓋体係止部位と、前記容器本体に設けられた前記本体係止部位とを係止する係止突片が設けられており、前記固定部は、その先端部と、前記中蓋本体との連接部との間に、前記係止部としての最大厚み部を有し、該最大厚み部での厚みが前記貫通孔の高さよりも大きくなっており、かつ、該最大厚み部よりも該先端部寄りの部位及び該連接部寄りの部位での厚みが、該貫通孔の高さと同等であるか、又はそれよりも小さくなっており、前記コンパクト容器の閉蓋状態が進行するに連れて、前記係止突片が前記最大厚み部に徐々に当接するようにした、前記＜２６＞から前記＜３４＞のいずれか１に記載のコンパクト容器。
＜３６＞前記最大厚み部が、距離を隔てた２つの山部を有し、前記コンパクト容器の閉蓋状態が進行するに連れて、前記係止突片が２つの前記山部の間に入り込むようにした、前記＜３５＞に記載のコンパクト容器。
【００６７】
＜３７＞前記固定部は、その先端部と、前記中蓋本体との連接部との間に、前記係止部としての最大厚み部を有し、該最大厚み部での厚みが前記貫通孔の高さよりも大きくなっており、かつ、該最大厚み部よりも該先端部寄りの部位及び該連接部寄りの部位での厚みが、該貫通孔の高さと同等であるか、又はそれよりも小さくなっており、前記固定部は、前記係止部と、前記中蓋本体との連接部との間に、上方に向けて突出した突起部を有し、前記固定部が前記容器本体に固定された状態において、前記突起部が、前記仕切り壁部の壁面のうち、前記収納凹部に臨む壁部に当接するようにした、前記＜２６＞から前記＜３６＞のいずれか１に記載のコンパクト容器。
＜３８＞前記中蓋が、複数の前記中蓋本体を有し、各中蓋本体が、複数の前記収納凹部のそれぞれを被覆するように配置されており、複数の前記中蓋本体が１つの前記固定部によって連結されている、前記＜２６＞から前記＜３７＞のいずれか１に記載のコンパクト容器。
＜３９＞前記固定部が、固定部第１部位及び固定部第２部位を有しており、前記固定部第２部位は、前記コンパクト固定部の基部をなし、前記中蓋本体と連接しており、前記固定部第１部位は、前記固定部の先端側の部位であり、前記固定部第２部位と連接しており、前記固定部第２部位と前記中蓋本体との連接部位が線状になっており、蝶番状に屈曲可能になっている前記＜２６＞から前記＜３８＞のいずれか１に記載のコンパクト容器。
＜４０＞前記固定部第２部位が、平坦なシート状ないし板状の部位であり、前記固定部第１部位が、その中央域に突起部を有する前記＜３９＞に記載のコンパクト容器。
＜４１＞前記突起部が、高さが相対的に高い主突起部と、該主突起部よりも高さが相対的に低い副突起部とから構成されており、前記副突起部は、前記主突起部に対して前記固定部第２部位側に設けられている前記＜４０＞に記載のコンパクト容器。
【００６８】
＜４２＞前記主突起部及び前記副突起部がいずれも中空体から構成されている前記＜４１＞に記載のコンパクト容器。
＜４３＞前記固定部が前記容器本体に固定された状態において、前記副突起部が前記貫通孔内に概ね位置している前記＜４１＞又は前記＜４２＞に記載のコンパクト容器。
＜４４＞前記主突起部と前記副突起部との間では、ステップ状に厚みが変化しており、このステップ状の厚みの変化によって、前記固定部の係止部としての背面壁が前記主突起部に形成されている前記＜４１＞から前記＜３３＞のいずれか１に記載のコンパクト容器。
＜４５＞前記仕切り壁部の壁面のうち、前記収納凹部に臨む壁部と反対側の壁部に、前記背面壁が係止する前記＜４４＞に記載のコンパクト容器。
＜４６＞前記主突起部は、その高さが先端部に向かうに連れて漸次低くなっている前記＜４１＞から前記＜４５＞のいずれか１に記載のコンパクト容器。
【００６９】
＜４７＞前記固定部は、その先端部と、前記中蓋本体との連接部との間に、前記係止部としての最大厚み部を有し、該最大厚み部での厚みが前記貫通孔の高さよりも大きくなっており、かつ、該最大厚み部よりも該先端部寄りの部位及び該連接部寄りの部位での厚みが、該貫通孔の高さと同等であるか、又はそれよりも小さくなっており、前記主突起部が、前記固定部の先端部と、該固定部と前記中蓋本体との前記連接部位との間に位置しており、該主突起部が、該固定部における最大厚み部となっている前記＜３９＞から前記＜４６＞のいずれか１に記載のコンパクト容器。
＜４８＞前記固定部は、その先端部と、前記中蓋本体との連接部との間に、前記係止部としての最大幅部を有し、該最大幅部での幅が前記貫通孔の幅よりも広くなっており、かつ、該最大幅部よりも該先端部寄りの部位及び該連接部寄りの部位での幅が、該貫通孔の幅と同等であるか、又はそれよりも狭くなっており、前記最大幅部が、前記固定部第１部位に形成されている前記＜３９＞に記載のコンパクト容器。
＜４９＞前記固定部第２部位と前記中蓋本体との前記連接部位にミシン目が設けられている前記＜３９＞から前記＜４８＞のいずれか１に記載のコンパクト容器。
＜５０＞前記中蓋に、文字又は図形が付されており、
文字又は図形は、前記中蓋が前記収納凹部上に配置されたとき、各収納凹部に収納されている化粧料又は化粧道具の収納位置と対応する場所に位置するように付されている前記＜２６＞から前記＜４９＞のいずれか１に記載のコンパクト容器。
【符号の説明】
【００７０】
１０  コンパクト容器
２０  容器本体
２１  本体係止部位
２１Ａ  係止突片
２１Ｂ  フックピース
２２Ａ  第１収納凹部
２２Ｂ  第２収納凹部
２２Ｃ  第３収納凹部
３０  蓋体
３２  蓋体係止部位
３２Ｂ  係止突片
４０  化粧料皿
４４Ａ−４４Ｅ  化粧料
４５  仕切り壁部
４５Ａ  第１壁部
４５Ｂ  第２壁部
５０  中蓋
５１  中蓋本体
５２  固定部
５３  固定部第１部位
５４  固定部第２部位
５５  突起部
５５Ａ  背面壁
５６  主突起部
５６Ａ  背面壁
５７  副突起部
６０  貫通孔
６１  空間
【図１】
2015126827.tif 000003
【図２】
2015126827.tif 000004
【図３】
2015126827.tif 000005
【図４】
2015126827.tif 000006
【図５】
2015126827.tif 000007
【図６】
2015126827.tif 000008
【図７】
2015126827.tif 000009
【図８】
2015126827.tif 000010
【図９】
2015126827.tif 000011
【図１０】
2015126827.tif 000012
【図１１】
2015126827.tif 000013
【図１２】
2015126827.tif 000014
【図１３】
2015126827.tif 000015
【図１４】
2015126827.tif 000016
【図１５】
2015126827.tif 000017
【図１６】
2015126827.tif 000018
【図１７】
2015126827.tif 000019
【図１８】
2015126827.tif 000020
【図１９】
2015126827.tif 000021
【図２０】
2015126827.tif 000022
【図２１】
2015126827.tif 000023
【図２２】
2015126827.tif 000024
【図２３】
2015126827.tif 000025
【図２４】
2015126827.tif 000026
【図２５】
2015126827.tif 000027